(57)【要約】従来の構造のワイヤハーネスコネクタは係止スライダー（１３）のほかに係止つめを有しており、係止つめがワイヤハーネスコネクタのコネクタケーシング（２）上にＵ字形に配置されており、両方の係止エレメントが開いた位置も閉じた位置も占めるようになっている。この種のワイヤハーネスコネクタを有利に製造するために、本発明に基づき、係止つめの機能がワイヤハーネスコネクタの、コネクタケーシング（２）に差しはめられるカバー（３）に組み込まれて、カバー（３）と、従来係止つめによって担われた係止ユニットとがまとめられている。このために本発明に基づき、カバー（３）と第２の係止部材とが一体的な構成部分を形成している。さらに、コネクタ（１）の両方の他面（１０，１０′）にケーブル導出部（１１）が配置されている。
2004519834.tif 000002
【特許請求の範囲】
【請求項１】
コネクタ（１）及びコネクタケーシング（２）から成る電気的な差し込み結合部であって、コネクタ（１）がコネクタケーシングに解離可能に連結されるようになっており、かつカバー（３）を備え、さらに第１の位置から別の位置へ移し可能なスライダー（１３）の形の第１の係止部分、及び第２の係止部分を有しており、第２の係止部分が、コネクタ（１）を対向コネクタに装着してかつ係止するために設けられていて同じく第１の位置から別の位置へ移し可能である形式のものにおいて、カバー（３）と第２の係止部分とが一体的な構成部分を形成しており、コネクタケーシング（２）に別のケーブル導出部（１１）が設けられていることを特徴とする、コンパクトな係止エレメントを備えた耐振及び防水構造のワイヤハーネスコネクタ。
【請求項２】
カバー（３）がコネクタ（１）にスライド可能に支承されている請求項１記載のワイヤハーネスコネクタ。
【請求項３】
カバー（３）のスライドが差し込み方向に対して垂直方向に行われるようになっている請求項２記載のワイヤハーネスコネクタ。
【請求項４】
ケーブル導出部（１１）が、コネクタ（１）の両方の端面（１０，１０′）にそれぞれ配置されている請求項１記載のワイヤハーネスコネクタ。
【請求項５】
ケーブル導出部（１１）に案内エレメント（１２）を配置してあり、案内エレメントがカバー（３）と一緒に一体的な構成部分を形成している請求項１記載のワイヤハーネスコネクタ。
【発明の詳細な説明】
【０００１】
本発明は、コネクタ及びコネクタケーシングから成る電気的な差し込み結合部であって、コネクタがコネクタケーシングに解離可能に連結されるようになっており、かつカバーを備え、さらに第１の位置から別の位置へ移し可能なスライダーの形の第１の係止部分、及び第２の係止部分を有しており、第２の係止部分が、コネクタを対向コネクタに装着してかつ係止するために設けられていて同じく第１の位置から別の位置へ移し可能である形式のものに関する。
【０００２】
背景技術
コネクタ部分のための前記形式の電気的な差し込み結合部は、種々のものが公知である。この種の差し込み結合部は、２つのコネクタ部分間の電気的な結合を確実にするために用いられ、従って電気的な結合の不測の解離が避けられる。
【０００３】
ワイヤハーネスコネクタとも呼ばれるコネクタは、コネクタケーシング及びカバーから成っていて、通常は係止つめを有している。係止つめがレバーの形でワイヤハーネスコネクタの側壁に配置されていて、第１の位置（開放位置）から旋回によって別（第２）の位置（閉鎖位置）へ移される。ワイヤハーネスコネクタを対向コネクタに差しはめる際に、係止つめが側方へ突出する２つのピンに係合し、係止つめをワイヤハーネスコネクタに向けて押し下げることによってワイヤハーネスコネクタが直接に対向コネクタに引き付けられる。これによって、電気的な差し込み結合部が揺れ動きに対して確保され、即ち、電気的な差し込み結合部が揺れ動き、振動運動若しくは類似の運動によって開かれ若しくは緩められるようなことはない。
【０００４】
前記形式のワイヤハーネスコネクタの別の公知手段では係止スライダーも設けられている。係止スライダーが開放位置から閉鎖位置へ移動可能である。係止スライダーが振動負荷に際して移動せしめられ若しくは緩められることを防止するために、少なくとも１つの係止フックを設けてあり、該係止フックが係止スライダーの閉鎖位置でワイヤハーネスコネクタの側部の係止ノッチと協働するようになっている。閉鎖位置への係止スライダーの移動によって、対向コネクタの側部に配置された係止フックが、係止スライダーの面に沿って滑動して、所定の位置で係止スライダーをロックするようになっている。
【０００５】
さらに別の公知手段では、係止スライダー並びに係止つめを一緒に電気的な差し込み結合部に配置することが提案されている。係止スライダーが、ワイヤハーネスコネクタを対向コネクタに正確に位置決めするための機能を有しており、係止レバー若しくは係止つめが、ワイヤハーネスコネクタを対向コネクタに堅く固定するために用いられている。別の手段では、係止スライダーを該係止スライダーの閉鎖位置へ移動させた後に係止フックを旋回させるようになっている。
【０００６】
公知技術の欠点
前述の公知技術の電気的な差し込み結合部においては欠点として、該差し込み結合部が多数の構成部分から形成されており、従って高いコスト並びに煩雑な組み立て工程を必要とする。さらに差し込み結合部が唯一のケーブル導出部しか有しておらず、従ってケーブルを別の方向に導く場合に、ケーブルがまず差し込み結合部の回りを導かれねばならない。通常は、このために必要なスペースは設けられていない。
【０００７】
発明の課題
本発明の課題は、２つの係止エレメント、即ち１つの係止スライダー及び１つの係止レバーを備えた電気的な差し込み結合部を改善して、該差し込み結合部の機能が閉鎖位置でも開放位置でも確実に生ぜしめられ、かつ該差し込み結合部の製造のためのコスト及び組み立て工程が少なくなるようにすることである。
【０００８】
発明の構成
前記課題を解決するために本発明の構成では、カバーと第２の係止部分とが一体的な構成部分を形成しており、コネクタケーシングに別のケーブル導出部が設けられている。
【０００９】
発明の利点
本発明に基づく装置、即ち電気的な差し込み結合部においては利点として、差し込み結合部の製造コスト、特にワイヤハーネスコネクタの製造コストが、１つの構成部分のみをコネクタケーシングに装着可能にし、従って構成部分を減少させて組み立て工程を削減することによって減少される。
【００１０】
さらに本発明に基づく構成においては、特に係止がカバーのスライドによって行われ、ワイヤハーネスコネクタの両方の端面にケーブル導出部が係止機能を妨げることなく設けられ得る。
【００１１】
さらに本発明に基づく電気的な差し込み結合部においては組み立て高さを小さく形成することができ、それというのは、開放位置で、即ち対向コネクタ上へのワイヤハーネスコネクタの差しはめ中にワイヤハーネスコネクタの上側の部分から離反する方向に向けられていて、かつ旋回運動のためのスペースを必要とする従来のレバー構造が省略されるからである。差し込み方向に対して垂直な方向へのカバーの簡単なスライド（移動）によって、有利には金属から成るレバーで達成されていた作用と同じ作用が得られる。
【００１２】
本発明の重要な別の利点が、既に従来技術で公知の１つのケーブル導出部のほかに、別の１つのケーブル導出部を設けたことにある。これによって、差し込み結合部内へのケーブルの導入若しくは差し込み結合部内からのケーブルの導出を差し込み結合部の両方の端面で実施することが可能である。このことは、多数の接点エレメント若しくは多数の接点端子の備えられたコネクタを使用する場合に特に有利である。
【００１３】
さらに本発明に基づく差し込み結合部は、著しく高い耐振動性を有し、かつＩＰＸ４Ｋ及びＩＰＸ９Ｋの基準に沿った防水を可能にしている。
【００１４】
実施例の説明
本発明の有利な構成を図示の実施例に基づき説明する。
【００１５】
図１は、本発明に基づくコネクタ１の斜視図である。本発明に基づくコネクタ１は、コネクタケーシング２及び該コネクタケーシング２上に配置されたカバー３を有している。カバー３がコネクタケーシング２上に、矢印４の方向でも矢印４と逆の方向でも移動可能に支承されていて、図４乃至図６に示す位置を占めるようになっている。
【００１６】
カバー３がコネクタ１を上面（天井面）５で被っていて、かつ両方の側面６，６′へ次のように延びており、即ち、側壁７が上面５から、該上面５と相対する側８まで延びている。さらに側壁７につかみ面９を設けてあり、該つかみ面は、例えば手のひらが上面５に接触していて、かつ親指若しくは人差し指がつかみ面９に接触するように形成されている。両方の端面１０，１０′にそれぞれケーブル導出部１１が設けられており、該ケーブル導出部からケーブル（図示せず）が導き出されている。ケーブルは案内エレメント１２によって、折れ曲がり若しくはその他の損傷に対して保護されている。
【００１７】
さらにコネクタ１に別の係止エレメントを設けてあり、該係止エレメントがスライダー１３として形成されている。スライダー１３がコネクタケーシング２内に、同じく矢印４の方向並びに矢印４と逆の方向に移動可能（スライド可能）に支承されている。
【００１８】
スライダー１３がカバー３と次のように連結されており、即ち、まずスライダー１３が図１に示す位置へ移動可能であり、次いでカバー３が図１に示す位置へ移動可能であり、若しくは両方が、即ちスライダー１３及びカバー３が一緒に図１に示す閉鎖位置へ移動可能である。
【００１９】
コネクタ１を対向コネクタ（図示せず）に差しはめるために、スライダー１３並びにカバー３が、図４に示す位置Ｉを占めている。これによって、対向コネクタから突出するピンエレメントを、コネクタ１の側部に設けられた切欠き若しくはノッチ若しくは切欠き１４内に係合させることができる。
【００２０】
コネクタ１を対向コネクタに差しはめて、かつピンエレメントを切欠き１４内に係合させた状態で、スライダー１３が、図５に示してあるように矢印４の方向に移動させられる。これによって、コネクタ１が対向コネクタに係止される（位置ＩＩ）。
【００２１】
カバー３を、図６に示してあるように同じく矢印４の方向に移動させることによって、コネクタ１が対向コネクタ上に押し付けられ、その結果、コネクタ１と対向コネクタとが互いに堅く結合され、該結合は振動負荷にも耐え得るものである。両方の端面１０，１０′にケーブル導出部１１を配置したことに基づき、カバー３の機能及び係止エレメントの機能が損なわれない。
【００２２】
有利には、スライダー１３及びカバー３の前述の運動が同時に行われ、その結果、電気的な差し込み結合を行う場合に唯一の移動しか必要とされない。
【００２３】
特にカバー３を配置しかつ該カバーを運動可能にしたことによって、差し込み結合が、旋回レバー又は旋回フック若しくは類似のものを曲げてしまい、ひいてはその機能を損なうというようなおそれなしに、簡単に行われる。
【００２４】
さらに本発明に基づくコネクタは著しく簡単かつ経済的に製造でき、それというのはいわゆる一次係止若しくは二次係止を実施するためにわずかな構成部分しか必要としないからである。
【図面の簡単な説明】
【図１】
本発明に基づくコネクタの係止位置での斜視図。
【図２】
図１のコネクタの端面図。
【図３】
本発明に基づくコネクタの図２のＩＩ−ＩＩ線に沿った断面図。
【図４】
図１の本発明に基づくコネクタの、開放位置（第１の係止エレメントの開いた状態及び第２の係止エレメントの開いた状態）での縦断面図。
【図５】
図１の本発明に基づくコネクタの、第１の係止装置（係止スライダー）の閉じられた状態での側面図。
【図６】
図１の本発明に基づくコネクタの閉鎖位置での側面図。
【符号の説明】
１  コネクタ、  ２  コネクタケーシング、  ３  カバー、  ４  矢印、  ５  上面、  ６，６′  側面、  ７  側壁、  ８  側、  ９  つかみ面、  １０，１０′  端面、  １１  ケーブル導出部、  １２  案内エレメント、  １３  スライダー、  １４  切欠き
【国際公開パンフレット】
2004519834.tif 000003
2004519834.tif 000004
2004519834.tif 000005
2004519834.tif 000006
2004519834.tif 000007
2004519834.tif 000008
2004519834.tif 000009
2004519834.tif 000010
2004519834.tif 000011
2004519834.tif 000012
2004519834.tif 000013
2004519834.tif 000014
【国際調査報告】
2004519834.tif 000015
2004519834.tif 000016
2004519834.tif 000017
2004519834.tif 000018